(57)【要約】通常のスーツケースとして使用できるとともに、カートや椅子ないしバギーとしても使用できる折畳式椅子付きスーツケースを提供する。スーツケース本体１１と、該スーツケース本体底面の背面寄りに設けられた一対の車輪１４ｂと、スーツケース本体表面側の下部位置に回動自在に取り付けられた折畳可能な折畳基板１２と、前記折畳基板の先端部に設けられた一対の車輪１４ａと、前記折畳基板をスーツケース本体に繋止する繋止具１３と、更に、スーツケース本体表面の前記折畳基板を取り付けた位置の上方に回動自在に取り付けられた折畳可能な折畳座板２１と、該折畳座板の両側に対向してスーツケース本体に回動自在に設けられた補助桟２４と、を備えてなる。
2003099056.tif 000002
【特許請求の範囲】
【請求項１】
スーツケース本体と、該スーツケース本体底面の背面寄りに設けられた一対の車輪と、スーツケース本体表面の下部位置に回動自在に取り付けられた折畳可能な折畳基板と、前記折畳基板の先端部に設けられた一対の車輪と、前記折畳基板をスーツケース本体に繋止する繋止具と、更に、スーツケース本体表面の前記折畳基板の取り付け位置より上方に回動自在に取り付けられた折畳可能な折畳座板と、該折畳座板の両側に対向してスーツケース本体に回動自在に設けられた補助桟と、を備え、不使用時には、折畳基板、繋止具、折畳座板及び補助桟を扁平状態にしてスーツケース本体表面側にほぼ同一平面内に収めるようになすとともに、折畳基板を折畳み、又は伸展したときに、折畳基板の先端部及び本体底面に設けられた車輪を床に配置させて本体を支承するようになし、使用時には折畳基板、繋止具、折畳座板及び補助桟をスーツケース本体表面前方に引出して立体的に組立て可能とした椅子を設けたことを特徴とする折畳式椅子付きスーツケース。
【請求項２】
前記の折畳座板をほぼ直角に折り曲げ、水平状の座部と垂直状の脚部を形成し、脚部の先端を伸展させた折畳基板上に固定するとともに、補助桟をほぼ直角に折り曲げて、その先端部を前記の折畳座板の座部に固定して立体的に組立て可能とした椅子を設けたことを特徴とする請求項１記載の折畳式椅子付きスーツケース。
【請求項３】
前記の繋止具は、伸縮可能な繋止杆であって、該繋止具の一端をスーツケース本体に回動自在に設け、且つ他端を折畳基板の両側に着脱１在に取着して、折畳基板をスーツケース本体の表面に対してほぼ垂直方向に繋止させるとともに、繋止具の一端を折畳基板から取外して折畳基板を折畳んでスーツケース本体表面側に引寄せてなすことを特徴とする請求項１記載の折畳式椅子付きスーツケース。
【請求項４】
前記の折畳座板及び補助桟を折畳んで扁平状態にしてスーツケース本体表面側に引寄せるとともに、折畳基板及び繋止具をスーツケース本体表面前方に引出して折畳基板をスーツケース本体の表面に対して垂直方向に支承させて、カートとしても使用できることを特徴とする請求項１記載の折畳式椅子付きスーツケース。
【請求項５】
前記の折畳基板は、長手方向の長さが異なる２枚の平板からなり、長さが短い方の平板の一端をスーツケース本体表面側の下部位置に回動自在に取り付けるとともに、長さが長い方の平板の端部近傍に一対の車輪を設け、該折畳基板を折畳んだ状態において、前記車輪が、スーツケース本体底部と折畳基板とのなす間隙に収まるように構成されてなることを特徴とする請求項１記載の折畳式椅子付きスーツケース。
【請求項６】
前記スーツケース本体の背面部に収納され、且つ、上部に引上げて係止可能なハンドルを取付けたことを特徴とする請求項１記載の折畳式椅子付きスーツケース。
【発明の詳細な説明】
技術分野
本発明は、スーツケースの一面に折畳式の椅子を備え、この椅子に子供や高齢者、障害者などを乗せて移送することができる応急介護用として、ないしは空港待合室等での休憩用椅子として便利な折畳式椅子付きスーツケースに関する。
背景技術
近年、高齢化が進む中で、中高年夫婦の旅行がこれからますます増加すると考えられる。これら旅行者の中で足腰や体が弱くて長時間の歩行に耐えられない高齢者や子供連れの旅行者などは、スーツケースの他に車椅子やベビーカーないしバギーを所持することは負担が大きく、楽しいはずの旅行も台無しとなり問題であった。海外旅行や長期滞在を目的とする旅行には、スーツケースを使用するのが通例である。一般に、スーツケースには底部に４個の車輪が取着されていて、手で押して移送することができる。しかし、空港のロビーなどで、車椅子やベビーカーとスーツケース、或いは台車とスーツケースを同時に操作して移送することは困難であるばかりでなく、特に、時間が迫っている場合には、混雑する中でパニックに至り極めて危険であり問題であった。
一方、従来、把手の付いた枠体に布製の袋を設けた携帯用のキヤリーケースと称する運搬車があるが、手荷物の移送用として使うには便利であるが、スーツケースとしては容量が小さすぎる。「椅子付き旅行鞄」が特開平９−２８４３８号公報に開示されている。実開昭５７−１７９８２４号公報には、表面に荷物置き台を取り付けたトランクの考案が開示されており、また、実登３０１２４２５号公報には、バンドによってバッグをカートに締着できるカート取付け可能なバッグの考案が開示されている。
しかし、前記の特開平９−２８４３８号記載の発明は、鞄の背後に椅子を取り付けたもので、椅子に人を乗せて走行するためのものではなく、本願発明と構造の点においても全く異なる。実開昭５７−１７９８２４号公報記載の考案は、トランクの一面に荷物置き用の台枠を設けたもので、従来のキャリヤケースと同様に載置できる荷物の量は極少量に限られる点で問題があり、また、前記の実登３０１２４２５号公報に記載の考案にあっては、カートにバッグ自体を載せて移送でき、カートを不使用のときはバッグに収納できる構成からなり、バッグの他に荷物を載置して移送する目的や構造ではない点で本発明とは異なる。
発明の開示
発明が解決しようとする課題
本発明は、前記のような問題点を解消して、走行中にスーツケースの表面に組み込まれた椅子に人を乗せて同時に移送することができる点において従来にはない全く新規のものである。また、椅子を畳んでカートとして折畳基板にゴルフ用具やお土産袋など、複数の荷物であってもスーツケースと一緒に移送することができる上、椅子やカートが不使用時にはこれらを折畳んでおけば、通常のスーツケースと同様に使用でき、保管する際も無駄なスペースを要することがなく、海外旅行等に手軽に持ち運びができるだけでなく、介護用としても使用できる極めて簡単且つ便利な折畳式椅子付きスーツケースを提供することを目的とする。
課題を解決するための手段
前記の課題を解決するために、本発明は、スーツケース本体と、該スーツケース本体底面の背面寄りに設けられた一対の車輪と、スーツケース本体表面の下部位置に回動自在に取り付けられた折畳可能な折畳基板と、前記折畳基板の先端部に設けられた一対の車輪と、前記折畳基板をスーツケース本体に繋止する繋止具と、更に、スーツケース本体表面の前記折畳基板の取り付け位置より上方に回動自在に取り付けられた折畳可能な折畳座板と、該折畳座板の両側に対向してスーツケース本体に回動自在に設けられた補助桟と、を備え、不使用時には、折畳基板、繋止具、折畳座板及び補助桟を扁平状態にしてスーツケース本体表面側にほぼ同一平面内に収めるようになすとともに、折畳基板を折畳み、又は伸展したときに、折畳基板の先端部及び本体底面に設けられた車輪を床に配置させて本体を支承するようになし、使用時には折畳基板、繋止具、折畳座板及び補助桟をスーツケース本体表面前方に引出して立体的に組立て可能とした椅子を設けたことを特徴とする折畳式椅子付きスーツケースとする（請求項１）。
また、前記の課題を解決するために、本発明は、前記の折畳座板をほぼ直角に折り曲げ、水平状の座部と垂直状の脚部を形成し、脚部の先端を伸展させた折畳基板上に固定するとともに、補助桟をほぼ直角に折り曲げて、その先端部を前記の折畳座板の座部に固定して立体的に組立て可能とした椅子を設けたことを特徴とする前記の折畳式椅子付きスーツケースとすることが好ましい（請求項２）。
また、前記の課題を解決するために、本発明は、前記の繋止具は、伸縮可能な繋止杆であって、該繋止具の一端をスーツケース本体に回動自在に設け、且つ他端を折畳基板の両側に着脱自在に取着して、折畳基板をスーツケース本体の表面に対してほぼ垂直方向に繋止させるとともに、繋止具の一端を折畳基板から取外して折畳基板を折畳んでスーツケース本体表面側に引寄せてなすことを特徴とする前記の折畳式椅子付きスーツケースとすることが好ましい（請求項３）。
また、前記の課題を解決するために、本発明は、前記の折畳座板及び補助桟を折畳んで扁平状態にしてスーツケース本体表面側に引寄せるとともに、折畳基板及び繋止具をスーツケース本体表面前方に引出して折畳基板をスーツケース本体の表面に対して垂直方向に支承させて、カートとしても使用できることを特徴とする前記の折畳式椅子付きスーツケースとすることが好ましい（請求項４）。
また、前記の課題を解決するために、本発明は、前記の折畳基板は、長手方向の長さが異なる２枚の平板からなり、長さが短い方の平板の一端をスーツケース本体表面側の下部位置に回動自在に取り付けるとともに、長さが長い方の平板の端部近傍に一対の車輪を設け、該折畳基板を折畳んだ状態において、前記車輪が、スーツケース本体底部と折畳基板とのなす間隙に収まるように構成されてなることを特徴とする前記の折畳式椅子付きスーツケースとすることが好ましい（請求項５）。
また、前記の課題を解決するために、本発明は、前記スーツケース本体の背面部に収納され、且つ、上部に引上げて係止可能なハンドルを取付けたことを特徴とする前記の折畳式椅子付きスーツケースとすることが好ましい（請求項６）。
作用
本発明に係る折畳式椅子付きスーツケースは、前記のように折畳基板の先端部に一対の車輪が取付けられており、折畳基板を折畳んだときに、この車輪と本体側の底部に取付けられた一対の車輪によって床面上でスーツケース本体を移動可能に支承することができる。また、折畳基板を本体表面に対して垂直方向に引出した際に、折畳み板の先端部の車輪は、主として床面上のカート部分を支承し、前記の車輪と本体側車輪とによって、カート部分と旅行鞄本体は床面に対してほぼ水平状態に支承される。
スーツケース表面側のほぼ中央部から上方部に折畳基板と繋止具を、下方部に折畳座板と補助桟を扁平状態にして、ほぼ同一平面内に収めることによって、スーツケースの外観を見栄えよく維持する作用をなす。また、使用時には、折畳基板と繋止具等によってカート部を構成し、椅子を構成する折畳座板の内、水平部は座部を、垂直部は脚部を構成し、補助桟は肘掛部を、スーツケースの表面が背もたれ部を構成する。よって本発明に係る折畳式椅子付きスーツケースは、スーツケース、カート、椅子ないしバギーの２役乃至４役を果たすこととなる。また、前記の肘掛部に代えて補助桟を折畳座板とスーツケース本体を直線状に連結すれば椅子を補強する筋交としての作用をなす。
折畳基板の両側から本体の両側の上方部に向かう伸縮可能な繋止杆は、折畳基板が引出された状態において、折畳基板を本体表面に対して垂直方向に支承して折畳基板上の荷物の転落を防止する作用をなすとともに、折畳基板とスーツケース本体に対して筋交の作用をなし、折畳基板をスーツケース本体に対してほぼ垂直に固定する。
長手方向の長さが異なる２枚の平板からなる折畳基板の内、長い方の平板の下側先端部に車輪を取付けたものは、折畳基板を折畳んだ際、折畳基板の先端部が本体の底部よりも下方に突出し、従って、折畳基板の先端部に取付けた車輪は本体の下方に納まり、本体側に取付けられた一対の車輪と略同じ高さで床面に着床し、スーツケース本体を床面に対してほぼ水平に支承することができる。更に、前記車輪は折畳基板の裏側に隠れ表面側からは見えないので、外観が良好であり見栄えをよくする。
本体の背面上部に取付けられたハンドルは、椅子乃至カートとしての使用時に、上方に引き上げて該ハンドルを手で掴んでカートを操作することができる。通常のスーツケースとして使用するときは、ハンドルを押下してスーツケースの背面に掛止することにより邪魔にならない上、見栄えもよい。
発明の実施の形態
実施例
次に、この発明の実施例について図に基づいて説明する。図１は、本実施例にかかる折畳式椅子付きスーツケースの折畳基板上に椅子を組立てた状態を例示した斜視図である。図１中の１は、折畳式椅子付きスーツケースであり、１１はスーツケース本体であり、１２は折畳基板であり、１３は繋止杆であり、１４ａは前車輪で１４ｂは後車輪である。２１は折畳座板であり、２２は脚部であり、２３は座部であり、２４は補助桟である。
前記折畳基板１２及び折畳座板２１の材質は特に限定されるものではないが、アルミニウム、ジュラルミン等の軽金属類が好ましい。または、前記金属製の枠にアクリル・スチレン・ブタジエン樹脂（ＡＢＳ）、ポリカーボネート、ＦＲＰのような強化プラスチック等の合成樹脂板を貼り付けたものでもよい。スーツケース本体１１の材質は一般に使用される軽金属、強化プラスチック、ＡＢＳ樹脂その他の耐衝撃性素材が使用できる。
この発明の実施例における折畳式椅子付きスーツケース１は、箱型のスーツケース本体１１の表面側の下部位置に折畳基板１２が、蝶番によってスーツケース本体１１表面に対して少なくともほぼ垂直乃至水平の角度の範囲内において回動自在に取り付けられていて、折畳基板１２は前方の前平板１２ａと後方の後平板１２ｂが連結されてなり、前平板１２ａの中間部とスーツケース本体１１を連結する繋止杆１３，１３によって本体に固定されている。前記の両平板は、蝶番によってそれぞれが連結されていて、各平板の裏側同士が重なる状態乃至両平板の小口同士が当接して水平状態になる範囲で回動可能に構成されている。また、前平板１２ａと後平板１２ｂの連結部を補強材で補強し、或いは連結部近辺に補助用の車輪などを設けることもできる（図示せず）。
そして折畳基板１２を構成する前平板１２ａは、後平板１２ｂよりも若干長く、且つ、前方に切り込み部が形成されていて、この切り込み部の両側には、裏側に一対の前車輪１４ａ，１４ａが取り付けられている。繋止杆１３，１３は、断面が矩形の金属製パイプの上繋止杆１３ｂと下繋止杆１３ａからなり、上繋止杆１３ｂの中に下繋止杆１３ａが滑動自在に挿入してなる。図５に例示するように、上繋止杆１３ｂの先端内側と下繋止杆１３ａの先端外側に形成された係止用突起１８，１８が相互に係止して両パイプが抜脱するのを防止している。また、例えば上繋止杆１３ｂと下繋止杆１３ａの連結部をボルトなどの公知の固定手段によって繋止杆１３を伸長させた状態で固定させるようにしてもよい（図示せず）。
次に、椅子を構成する部材について説明する。折畳座板２１は座部２３と脚部２２を蝶番で回動可能に連結した構成からなる。脚部２２の先端は折畳基板１２の係止孔１６と係合するホゾ２５ａが設けられており、座部２３の端部がスーツケース本体１１の表面側のほぼ中間の位置に回動可能に取着されている。脚部２２のホゾ２５ａを係止孔１６に差込んで固定する。補助桟２４は２本の細長い板状の棒を１点で係止して回動可能に連結し、一端をスーツケース本体１１表面の上方位置に回動可能に取着し、他端にホゾ２５ｂを形成して、座部２２のホゾ２５ｂと係止する位置に係止孔を設け、この係止孔にホゾ２５ｂを差込んで両者を固定させる。ホゾ２５ａ，ホゾ２５ｂに代えてボルトとナットなどで固定してもよい。補助桟２４の連結部を鋭角に折り曲げて前記他端をスーツケース本体表面の中間地点に固定して肘掛部としてもよく、また、前述のように、補助桟２４を１本の棒状体で構成して折畳座板とスーツケース本体を筋交状に連結させてもよい（図示せず）。
図３は、前記の実施例にかかる折畳式椅子付きスーツケース１の折畳基板１２、繋止杆１３、折畳座板２１及び補助桟２４を折畳んで本体１１の表面に収めた状態を示す。折畳基板１２、繋止杆１３、折畳座板２１及び補助桟２４は、それぞれ本体１１の表面にほぼ同一平面内に収められる。折畳基板１２の先端部に取り付けられた前車輪１４ａは、本体１１の下方に入り込んで、本体１１の後車輪１４ｂとともに床面上に折畳式椅子付きスーツケース１を支承している。前記の車輪は公知のストッパーを備えたキャスターを使用することが安全上好ましい。また、ハンドルにブレーキ操作手段を設け、このブレーキ操作手段と連動させて車輪を停止させるブレーキなどの安全装置を設けることがより好ましい（図示せず）。
折畳基板１２を折畳んで本体表面に引寄せたときに、左右の繋止杆１３は、下繋止杆１３ｂが上繋止杆１３ｂの内部に挿入され、本体表面に縦方向に係止する。移送中に衝撃によって、折畳基板１２及び折畳座板２１が不意に開くことを未然に防ぐために、例えば磁石その他公知の係止具によって折畳基板１２及び折畳座板２１と本体を止着させるように構成してもよい。
使用例
前記の実施例にかかる折畳式椅子付きスーツケース１の使用例について説明する。図２は折畳式椅子付きスーツケース１の組立分解図であり、図４はカートとして使用する状態を例示した斜視図である。組立の手順は先ず、前平板１２ａの下部を手で引いて、折畳基板１２が平らな状態になるまで前方に引出すとともに、繋止杆１３を伸長してその先端部を後平板１２ｂの両側後方部に固定する。次に、ハンドル１５を上方に引出して組立は完成する。以上でカートの準備ができたので、次に折畳基板１２の上に荷物を載せて、ハンドル１５を後方より押して移送することができる。以上の逆の手順で折畳基板１２を折畳み本体表面に引寄せて収め、通常のスーツケースとしても使用できることは言うまでもない。
次ぎに、実施例にかかる折畳式椅子付きスーツケース１の椅子又はバギーとしての使用例について説明する。組立ての手順としては、先ず、前記のようにしてカートを完成させ、次ぎにカートの折畳基板１２上に椅子を組立てる。椅子を組立てるには、脚部２２を手前に引出して直角に曲げ、その先端のホゾ２５ａを折畳基板１２の前平板の係止孔１６に差込んで固定し、次に、補助桟２４を引出してその先端のホゾ２５ｂを座部２３の係止孔に差込んで固定して組立は完成する。逆の手順によって折畳可能であり、椅子の座り心地を考慮して座部に座布団などを敷いてもよく、子供や老人を乗せる場合には、必要に応じて補助桟２４，２４に安全棒や紐を渡して移送中に人が前方に転落しないように安全策を講じることが好ましい。また、下り坂を走行する際には必要に応じてブレーキをかけ、停止する場合には、不意に動き出さないようにストッパーをかけておくことがより好ましい。
発明の効果
本発明に係る折畳式椅子付きスーツケースは、前記のように構成したことによって、通常のスーツケースとして使用できるだけでなく、折畳基板を手前に引いてカートしても使用でき、更に、折畳座板を手前に引いて椅子ないしバギーとしても使用することができる。組立ないし分解は何ら難しい作業をすることなく、実に簡単に変身でき、手荷物やお土産袋など複数の荷物であってもスーツケースと一緒に移送することができて安全であり、子供や歩行の不自由な老人、身障者の応急介護用のバギーとして、また、空港などで休憩時の簡易椅子として、１つで２〜４役を演じることができ、カート等の不使用時には折畳んでおくだけで、保管する際も無駄なスペースを要することがなく、海外旅行や国内旅行を問わず手軽に持ち運びができる優れた効果を奏する。
【図面の簡単な説明】
第１図は実施例にかかる折畳式椅子付きスーツケースの折畳基板上に椅子を組立てた状態を例示した斜視図である。
第２図は実施例にかかる折畳式椅子付きスーツケースの組立分解図である。
第３図は実施例にかかる折畳式椅子付きスーツケースの各部材を折畳んで本体の表面に収めた状態を例示した斜視図である。
第図４は実施例にかかる折畳式椅子付きスーツケースの折畳基板を引出してカートを組立てた状態を例示した斜視図である。
第図５は上繋止杆と下繋止杆が係止した状態を例示した拡大縦断面図である。
【図１】
2003099056.tif 000003
【図２】
2003099056.tif 000004
【図３】
2003099056.tif 000005
【図４】
2003099056.tif 000006
【図５】
2003099056.tif 000007
【国際調査報告】
2003099056.tif 000008
2003099056.tif 000009
2003099056.tif 000010